(57)【要約】  スマート家電の制御方法およびスマート家電を提供する。スマート家電の制御方法はスマート端末に適用され、スマート端末にＷｉＦｉモジュール（３０）の設定インターフェースを有する動作プログラムを設け、スマート端末が通信モジュール（３１）によりスマート家電に通信接続されることと、スマート端末により動作プログラムがＷｉＦｉモジュール（３０）の設定インターフェースに入り、サーチされたルータの信号を選択し、ルータのパスワードを入力し、スマート家電のＷｉＦｉモジュール（３０）をルータに接続するように配置することと、を含む。
2019507545.tif 000002
【特許請求の範囲】
【請求項１】
スマート端末に適用されるスマート家電の制御方法であって、
スマート端末に無線フィデリティＷｉＦｉモジュールの設定インターフェースを有する動作プログラムを設け、スマート端末が通信モジュールによりスマート家電に通信接続されることと、
スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することと、を含む、スマート家電の制御方法。
【請求項２】
前記スマート端末にＷｉＦｉモジュールの設定インターフェースを有する動作プログラムを設け、スマート端末が通信モジュールによりスマート家電に通信接続されることにおいて、前記通信モジュールは、スマート家電とスマート端末にそれぞれ設けられるブルートゥースモジュールである、請求項１に記載のスマート家電の制御方法。
【請求項３】
前記スマート端末にＷｉＦｉモジュールの設定インターフェースを有する動作プログラムを設け、スマート端末が通信モジュールによりスマート家電に通信接続されることにおいて、スマート端末が通信モジュールによりスマート家電と正常に接続されることができないと、スマート端末にエラー情報が表示される、請求項１〜２のいずれか一項に記載の家電の制御方法。
【請求項４】
前記スマート端末にＷｉＦｉモジュールの設定インターフェースを有する動作プログラムを設け、スマート端末が通信モジュールによりスマート家電に通信接続されることにおいて、スマート家電のコントロールパネルに通信モジュールの起動キーが設けられ、起動キーによりスマート家電の通信モジュールを起動することをさらに含む、請求項１に記載のスマート家電の制御方法。
【請求項５】
スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することにおいて、スマート端末が動作プログラムによりスマート家電の動作状態を制御及び観察することをさらに含む、請求項１に記載のスマート家電の制御方法。
【請求項６】
前記スマート端末がサーバにより前記スマート家電とデータインタラクションを行うことをさらに含む、請求項１に記載のスマート家電の制御方法。
【請求項７】
前記スマート端末がサーバにより前記スマート家電とデータインタラクションを行うことは、
前記スマート端末をサーバに登録し、スマート端末が登録したアカウントがスマート家電とバインドされることと、
スマート端末が、サーバにより対応するスマート家電に制御情報を送信し、スマート端末が、スマート家電がサーバにより送信したデータ情報を受信することと、を含む、請求項６に記載のスマート家電の制御方法。
【請求項８】
前記スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することにおいて、ＷｉＦｉモジュールとルータとの接続が失敗すると、スマート端末にエラー情報が表示される、請求項１に記載のスマート家電の制御方法。
【請求項９】
スマート家電に適用されるスマート家電の制御方法であって、
通信モジュールによりスマート端末に通信接続され、そのうち、スマート家電に無線フィデリティＷｉＦｉモジュールおよび通信モジュールが設けられていることと、
ＷｉＦｉモジュールによりサーチされたルータのサービスセット識別子ＳＳＩＤリストをスマート端末に送信することと、
スマート端末により選定されたルータＳＳＩＤおよびパスワードを受信することと、
ＷｉＦｉモジュールを選定されたルータに接続することと、を含む、スマート家電の制御方法。
【請求項１０】
前記通信モジュールは、スマート家電に設けられるブルートゥースモジュールである、請求項９に記載のスマート家電の制御方法。
【請求項１１】
前記スマート家電のブルートゥースモジュールとＷｉＦｉモジュールは集積設置される、請求項１０に記載のスマート家電の制御方法。
【請求項１２】
前記通信モジュールによりスマート端末に通信接続されることは、
スマート家電のコントロールパネルに通信モジュールの起動キーが設けられ、起動キーによりスマート家電の通信モジュールを起動することを含む、請求項９に記載のスマート家電の制御方法。
【請求項１３】
前記スマート家電とスマート端末とがサーバによりデータインタラクションを行うことをさらに含む、請求項９に記載のスマート家電の制御方法。
【請求項１４】
前記スマート家電とスマート端末とがサーバによりデータインタラクションを行うことは、
スマート家電が、スマート端末が登録したアカウントにバインドされることと、
スマート家電が、サーバにより対応するスマート端末にデータ情報を送信することと、を含む、請求項１３に記載のスマート家電の制御方法。
【請求項１５】
無線フィデリティＷｉＦｉモジュール、通信モジュール、コントロールパネルを備える、スマート家電。
【請求項１６】
前記コントロールパネルに通信モジュールの起動キーが設けられ、起動キーによりスマート家電の通信モジュールを起動する、請求項１５に記載のスマート家電。
【請求項１７】
前記通信モジュールはブルートゥースモジュールである、請求項１５に記載のスマート家電。
【請求項１８】
前記ＷＩＦＩモジュールと前記ブルートゥースモジュールは集積設置される、請求項１７に記載のスマート家電。
【請求項１９】
前記スマート家電は洗濯機である、請求項１５〜１８に記載のスマート家電。
【発明の詳細な説明】
【技術分野】
【０００１】
本開示は無線ネットワークの技術分野に関し、例えば、スマート家電の制御方法およびスマート家電に関する。
【背景技術】
【０００２】
通信ネットワーク技術の発展と人々の家庭用製品への要求の日々の向上に伴い、モノのインターネットのスマート家電はますます人々の注目を浴びるようになっている。モノのインターネットのスマート家電に対する設計と開発は実験的研究開発段階に留まらず、様々なスマート家電は既に小規模で市販されており、使用対象も社会の一般的なユーザーへとなり始めている。
【０００３】
関連技術において、スマート家電が一般的に使用する制御形態は、スマート端末によりスマート家電を制御し、スマート端末に無線通信モジュールを増設することでスマート端末とインターネットとの通信を実現し、端末装置（例えば、携帯電話機、タブレットコンピュータ（Ｐａｄ：ｐｏｒｔａｂｌｅ  ａｎｄｒｏｉｄ  ｄｅｖｉｃｅ）、コンピュータ（ＰＣ：ｐｅｒｓｏｎａｌ  ｃｏｍｐｕｔｅｒ）など）にアプリケーション（ａｐｐ：Ａｐｐｌｉｃａｔｉｏｎ）をインストールすることにより、クライアントはスマート家電に対する遠隔制御を実現することができる。スマート家電に対する遠隔制御を実現するための最初のステップは、スマート家電をネットワークに接続する必要があることであるが、関連技術における主流となるスマート家電は、ほとんどがニキシー管表示であり、いずれもタッチパネルが付いていなく、スマート家電の操作パネルにスマート家電の無線フィデリティ（ＷｉＦｉ：Ｗｉｒｅｌｅｓｓ  Ｆｉｄｅｌｉｔｙ）モジュールを直接配置してルータと接続することができない。一般的には、ＷｉＦｉモジュールをホットスポットモードに入るように設置した後、スマート端末により洗濯機のＷｉＦｉと接続し、ルータのパスワードを間接的にＷｉＦｉモジュールに送信し、その後、ＷｉＦｉモジュールを再起動してルータに接続する必要がある。このような操作は工程が煩雑で、配置の成功率が低く、ユーザー体験が悪い。
【発明の概要】
【発明が解決しようとする課題】
【０００４】
本開示は、関連技術におけるスマート家電をネットワークに接続する過程に存在する操作が煩雑で、配置の成功率が低く、ユーザー体験が悪いという問題を解決することができるスマート家電の制御方法およびスマート家電を提供する。
【課題を解決するための手段】
【０００５】
本開示の実施例は、
スマート端末にＷｉＦｉモジュールの設定インターフェースを有する動作プログラムを設け、スマート端末が通信モジュールによりスマート家電に通信接続されることと、
スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することと、を含むスマート端末に適用されるスマート家電の制御方法を提供する。
【０００６】
好ましくは、前記スマート端末にＷｉＦｉモジュールの設定インターフェースを有する動作プログラムを設け、スマート端末が通信モジュールによりスマート家電に通信接続されることにおいて、前記通信モジュールは、スマート家電とスマート端末にそれぞれ設けられるブルートゥース（登録商標）モジュールである。
【０００７】
好ましくは、前記スマート端末にＷｉＦｉモジュールの設定インターフェースを有する動作プログラムを設け、スマート端末が通信モジュールによりスマート家電に通信接続されることにおいて、スマート端末が通信モジュールによりスマート家電と正常に接続されることができないと、スマート端末にエラー情報が表示される。
【０００８】
好ましくは、前記スマート端末にＷｉＦｉモジュールの設定インターフェースを有する動作プログラムを設け、スマート端末が通信モジュールによりスマート家電に通信接続されることにおいて、スマート家電のコントロールパネルに通信モジュールの起動キーが設けられ、起動キーによりスマート家電の通信モジュールを起動することをさらに含む。
【０００９】
好ましくは、スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することにおいて、スマート端末が動作プログラムによりスマート家電の動作状態を制御及び観察することをさらに含む。
【００１０】
好ましくは、前記スマート端末がサーバにより前記スマート家電とデータインタラクションを行うことをさらに含む。
【００１１】
好ましくは、前記スマート端末がサーバにより前記スマート家電とデータインタラクションを行うことは、
前記スマート端末をサーバに登録し、スマート端末が登録したアカウントはスマート家電とバインドされることと、
スマート端末が、サーバにより対応するスマート家電に制御情報を送信し、スマート端末が、スマート家電がサーバにより送信したデータ情報を受信することと、を含む。
【００１２】
好ましくは、前記スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することにおいて、ＷｉＦｉモジュールとルータとの接続が失敗すると、スマート端末にエラー情報が表示される。
【００１３】
本開示の実施例は、
通信モジュールによりスマート端末に通信接続され、そのうち、スマート家電にＷｉＦｉモジュールおよび通信モジュールが設けられていることと、
ＷｉＦｉモジュールによりサーチされたルータのサービスセット識別子（ＳＳＩＤ：Ｓｅｒｖｉｃｅ  Ｓｅｔ  Ｉｄｅｎｔｉｆｉｅｒ）リストをスマート端末に送信することと、
スマート端末により選定されたルータＳＳＩＤおよびパスワードを受信することと、
ＷｉＦｉモジュールを選定されたルータに接続することと、を含むスマート家電に適用されるスマート家電の制御方法をさらに提供する。
【００１４】
好ましくは、前記通信モジュールは、スマート家電に設けられるブルートゥースモジュールである。
【００１５】
好ましくは、前記スマート家電のブルートゥースモジュールとＷｉＦｉモジュールは集積設置される。
【００１６】
好ましくは、前記通信モジュールによりスマート端末に通信接続されることは、
スマート家電のコントロールパネルに通信モジュールの起動キーが設けられ、起動キーによりスマート家電の通信モジュールを起動することを含む。
【００１７】
好ましくは、スマート家電に適用されるスマート家電の制御方法は、前記スマート家電とスマート端末とがサーバによりデータインタラクションを行うことをさらに含む。
【００１８】
好ましくは、前記スマート家電とスマート端末とがサーバによりデータインタラクションを行うことは、
スマート家電が、スマート端末が登録したアカウントにバインドされることと、
スマート家電が、サーバにより対応するスマート端末にデータ情報を送信することと、を含む。
【００１９】
本開示の実施例は、無線フィデリティＷｉＦｉモジュール、通信モジュール、コントロールパネルを備えるスマート家電をさらに提供する。好ましくは、前記コントロールパネルに通信モジュールの起動キーが設けられ、起動キーによりスマート家電の通信モジュールを起動する。
【００２０】
好ましくは、前記通信モジュールはブルートゥースモジュールである。
好ましくは、前記ＷＩＦＩモジュールと前記ブルートゥースモジュールは集積設置される。
【００２１】
好ましくは、前記スマート家電は洗濯機である。
【発明の効果】
【００２２】
本開示の実施例は、スマート家電とスマート端末とが直接接続され、且つ、スマート端末でルータのパスワードの入力が可能となり、スマート家電のＷｉＦｉモジュールはホットスポットモードに入る必要がないことにより、スマート家電をネットワークに接続する操作が簡略化され、配置の成功率が高くなり、さらに、ユーザーの使用体験を向上させる。
【図面の簡単な説明】
【００２３】
【図１】本実施例に係るスマート家電を制御する流れの模式図である。
【図２】本実施例に係るスマート家電を制御する原理の模式図である。
【図３】本実施例に係る洗濯機の構成模式図である。
【図４】本実施例に係る洗濯機を制御する流れの模式図である。
【図５】本実施例に係るスマート端末のハードウェアの構成模式図である。
【発明を実施するための形態】
【００２４】
以下、図面を参照しながら、好ましい実施形態により本開示の技術案を説明する。衝突しない場合、実施例と実施例における特徴は、互いに任意に組み合わせることができる。
【００２５】
図１および図２に示すように、本実施形態は、
Ｓ１１０において、スマート端末にＷｉＦｉモジュールの設定インターフェースを有する動作プログラムを設け、スマート端末が通信モジュールによりスマート家電（スマート家電）に通信接続されることと、
Ｓ１２０において、スマート端末により動作プログラムがＷｉＦｉモジュールの設定インターフェースに入り、サーチされたルータの信号を選択し、ルータのパスワードを入力し、スマート家電のＷｉＦｉモジュールをルータに接続するように配置することと、を含むスマート家電の制御方法を提供する。
【００２６】
上記方法により、スマート家電とスマート端末との直接接続を実現することができ、且つ、スマート端末でルータのパスワードの入力が実現可能となり、スマート家電のＷｉＦｉモジュールはホットスポットモードに入る必要がなく、スマート家電をネットワークに接続する操作が簡略化され、配置の成功率が高くなり、さらに、ユーザーの使用体験を向上させる。
【００２７】
好ましくは、Ｓ１１０において、通信モジュールは、スマート家電とスマート端末にそれぞれ設けられるブルートゥースモジュールである。ブルートゥースモジュールは常用のモジュールであり、良好な通信安定性および低い使用コストを有する。
【００２８】
スマート家電に設けられるブルートゥースモジュールとＷｉＦｉモジュールは集積設置される。もちろん、両者は単独に設けられる２つのモジュールであってもよい。
【００２９】
Ｓ１１０において、スマート端末が通信モジュールによりスマート家電と正常に接続されることができないと、スマート端末にエラー情報が表示される。このように、ユーザーは、スマート家電とスマート端末が正常な通信状態にあるか否かを直観的に得ることができる。
【００３０】
Ｓ１１０において、スマート家電のコントロールパネルに通信モジュールの起動キーが設けられ、起動キーによりスマート家電の通信モジュールを起動することをさらに含む。起動キーは単一のキー又は１つ以上の組み合わせキーであり、単一のキーをタッチする又は組み合わせキーをタッチすることにより、スマート家電のブルートゥースモジュールをペアリング状態になるように設けることができる。スマート端末のブルートゥースをオンにすれば、スマート端末のブルートゥースとスマート家電のブルートゥースとのペアリング及び接続を実現することができる。
【００３１】
Ｓ１２０において、スマート端末が動作プログラムによりスマート家電の動作状態を制御及び観察することをさらに含む。つまり、スマート端末とスマート家電とは直接つながることができ、これにより、ルータがない場合にも、ユーザーはルータに対して遠隔操作を行うことができる。
【００３２】
スマート家電の制御方法は、スマート端末がサーバによりスマート家電とデータインタラクションを行うＳ１３０をさらに含む。
【００３３】
好ましくは、スマート端末をサーバに登録し、スマート端末が登録したアカウントはスマート家電とバインドされる。
【００３４】
スマート端末は、サーバにより対応するスマート家電に制御情報を送信し、スマート家電は、サーバにより対応するスマート端末にデータ情報を送信する。
【００３５】
好ましくは、スマート家電はコンピュータパネルコントローラを含み、そのうち、ブルートゥースモジュールとＷｉＦｉモジュールはいずれもコンピュータパネルコントローラに通信接続する。コンピュータパネルコントローラはスマート家電の動作を制御するために用いられ、ＷｉＦｉモジュールによりインターネットに接続され、サーバと通信する。サーバは家電管理プラットフォームサービスを提供し、ユーザーアカウントの登録および管理、スマート家電とユーザーアカウントとのバインドおよび管理、スマート家電に制御命令を送信し且つスマート家電が報告した情報を受信することなどを含む。ユーザーはサーバのＷｅｂサイトにアカウントを登録して、自分の家電を管理することができる。
【００３６】
Ｓ１２０において、ＷｉＦｉモジュールとルータとの接続が失敗すると、スマート端末にエラー情報が表示される。これにより、ユーザーはスマート家電とネットワークとの接続が成功したか否かをさらに直観的に得ることができる。
【００３７】
本実施例において、スマート端末はスマートフォンやタブレットコンピュータなどのモバイル機器であってもよい。
【００３８】
スマート家電は洗濯機、エアコン、温水器、冷蔵庫などのユーザーが常用する家電であってもよい。
【００３９】
本実施形態において、無線フィデリティＷｉＦｉモジュール、通信モジュール、コントロールパネルを備えるスマート家電をさらに提供する。
【００４０】
好ましくは、前記コントロールパネルに通信モジュールの起動キーが設けられ、起動キーによりスマート家電の通信モジュールを起動する。
【００４１】
好ましくは、前記通信モジュールはブルートゥースモジュールである。
好ましくは、前記ＷＩＦＩモジュールと前記ブルートゥースモジュールは集積設置される。
【００４２】
好ましくは、前記スマート家電は洗濯機である。
本実施形態において、洗濯機をさらに提供し、図３に示すように、ＷｉＦｉモジュール３０、通信モジュール３１、コントロールパネル３２を備える。
【００４３】
好ましくは、前記洗濯機のコントロールパネル３２に通信モジュールの起動キー３３が設けられ、起動キーにより洗濯機の通信モジュール３１を起動する。
【００４４】
好ましくは、前記通信モジュール３１はブルートゥースモジュールである。
図４に示すように、本実施形態は洗濯機を例として上記スマート家電の制御方法について説明する。
【００４５】
まず、洗濯機とスマート端末のブルートゥースモジュールをそれぞれ起動し、両者をブルートゥースによりペアリングさせ、両者のペアリングが成功すると、スマート端末の動作プログラムのＷｉＦｉ設定インターフェースに入り、両者のペアリングが成功しないと、改めてペアリングするか否かを問い合わせ、改めてペアリングするか否かを問い合わせた後、改めてペアリングするというフィードバックを得ると、両者は改めてペアリングし、改めてペアリングするというフィードバックを得ないと、接続が失敗したと提示する。
【００４６】
動作プログラムのＷｉＦｉ設定インターフェースに入った後、洗濯機はＷｉＦｉモジュールによりサーチされたルータの信号ＳＳＩＤリストをスマート端末に送信して表示し、ユーザーは洗濯機が接続しようとするルータのＳＳＩＤ名称を選択し、ルータのパスワードを入力し、スマート端末は選択されたＳＳＩＤの名称およびパスワードを洗濯機に送信し、洗濯機のＷＩＦＩモジュールは受信されたルータのＳＳＩＤに接続を行って、ルータとの接続が成功したか否かを判定し、接続が成功すると、洗濯機は接続が成功したとの情報をブルートゥースによりスマート端末にフィードバックするとともに、洗濯機とスマート端末のアカウントとのバインド情報をＷｉＦｉモジュールによりサーバに送信する。接続が失敗すると、洗濯機はスマート端末に接続が失敗したとの情報をフィードバックし、改めて接続するか否かを問い合わせ、改めて接続するというフィードバックを得ると、改めてＷｉＦｉ設定インターフェースに入り、改めて接続するというフィードバックを得ないと、動作を終了する。
【００４７】
本実施例はスマート端末のハードウェアの構造模式図をさらに提供し、図５に示すように、１つもしくは複数のプロセッサ５１０およびメモリ５２０を含み、図５では、１つのプロセッサ５１０を例とする。
【００４８】
スマート端末は、入力装置５３０、出力装置５４０、ＷｉＦｉ装置５５０、通信装置５６０をさらに含んでも良い。
【００４９】
プロセッサ５１０、メモリ５２０、入力装置５３０、出力装置５４０、ＷｉＦｉ装置５５０、通信装置５６０はバス或いは他の形態により接続され、図５では、バスにより接続されるものを例とする。
【００５０】
メモリ５２０は、１種類の非一時的コンピュータ読取可能記憶媒体として、非一時的ソフトウェアプログラム、非一時的コンピュータ実行可能プログラムおよびモジュールを記憶するために用いられることができ、例えば、本願の実施例におけるスマート家電の制御方法に対応するプログラム命令／モジュールを記憶するために用いられることができる。プロセッサ５１０は、メモリ５２０に記憶される非一時的ソフトウェアプログラム、命令およびモジュールを実行することにより、サーバの各種の機能アプリケーションおよびデータ処理を実行し、即ち、上記方法の実施例におけるスマート家電の制御方法を実現する。
【００５１】
メモリ５２０はプログラム記憶領域とデータ記憶領域を含んでもよく、そのうち、プログラム記憶領域はオペレーティングシステム、少なくとも１つの機能に必要なアプリケーションを記憶することができ、データ記憶領域はアプリケーションがインタラクションする端末の使用により作成されたデータなどを記憶することができる。なお、メモリ５２０は高速ランダムアクセスメモリを含んでもよく、非一時的メモリをさらに含んでもよい。当該非一時的メモリは、例えば、少なくとも１つの磁気ディスクメモリ装置、フラッシュメモリ装置、又は他の非一時的固体メモリ装置である。いくつかの実施例において、好ましくは、メモリ５２０はプロセッサ５１０に対して遠隔設置されるメモリを含んでもよく、これらの遠隔メモリはアプリケーションがインタラクションする端末にネットワークにより接続されることができる。
【００５２】
上記ネットワークの実施例は、インターネット、イントラネット、ローカルエリアネットワーク、移動通信網およびその組み合わせを含んでも良いが、それらに限定されない。
【００５３】
入力装置５３０は入力される数字や文字情報を受信することができ、且つ、アプリケーションがインタラクションする端末のユーザーの設定および機能の制御に関連するキー信号の入力を生成する。出力装置５４０は表示パネルなどの表示装置を含んでもよい。
【００５４】
前記１つもしくは複数のモジュールは前記メモリ５２０に記憶され、前記１つもしくは複数のプロセッサ５１０により実行されると、上記いずれかの方法の実施例におけるスマート家電の制御方法を実行する。
【００５５】
スマート端末は通信装置５６０によりスマート家電に通信接続される。
好ましくは、通信装置５６０はブルートゥースモジュールであってもよい。
【００５６】
スマート端末はＷｉＦｉ装置５５０によりルータに接続される。
上記製品は本願の実施例に係る方法を実行することができ、方法の実行に対応する機能モジュールと有益な効果を備える。本実施例で詳しく説明されていない技術的詳細は、本願の実施例に係る方法を参照してもよい。
【００５７】
以上、好ましい実施例を参照しながら、本開示の技術的原理を説明した。これらの説明は本開示の原理を解釈するためのものに過ぎず、いずれかの形態で本開示の保護範囲を限定するものとして解釈してはいけない。
【産業上の利用可能性】
【００５８】
本開示の実施例はスマート家電の制御方法およびスマート家電を提供し、スマート家電とスマート端末とが直接接続され、且つ、スマート端末でルータのパスワードの入力が可能となり、スマート家電のＷｉＦｉモジュールがホットスポットモードに入る必要がないことにより、スマート家電をネットワークに接続する操作が簡略化され、配置の成功率が高くなり、ユーザーの使用体験を向上させる。
【図１】
2019507545.tif 000003
【図２】
2019507545.tif 000004
【図３】
2019507545.tif 000005
【図４】
2019507545.tif 000006
【図５】
2019507545.tif 000007
【国際調査報告】
2019507545.tif 000008
2019507545.tif 000009
2019507545.tif 000010
2019507545.tif 000011